(57)【要約】【課題】  容易に個性的なメッセージを作成することができる携帯電話機を得る。【解決手段】  制御部３０１は、ユーザにより入力されたメッセージ本文からキーワードを抽出し、これを用いてメッセージ本文内容に関連する携帯電話機内の画像データ及びメロディデータを検索する。検索された画像データ及びメロディデータはメッセージ本文に付加されメッセージの作成が行われる。このようにして作成されたメッセージのデータ容量が送信可能なメッセージの最大容量を超えている場合には、所定の削除ルールに従って付加されたデータの削除を行う。【選択図】      図２                                                  
2005285038.tif 000002
【特許請求の範囲】
【請求項１】
メッセージを送信可能な携帯電話機であって、
入力されたメッセージ本文から抽出されるキーワードを用いて前記携帯電話機内のデータの検索を行う検索手段と、前記検索手段により検索された前記データを前記メッセージ本文に付加して前記メッセージを作成するメッセージ作成手段とを含むことを特徴とする携帯電話機。
【請求項２】
前記メッセージ作成手段は、前記作成されたメッセージの容量が予め定められた送信可能なメッセージの最大容量を超えている場合、前記作成されたメッセージの容量を前記最大容量以内とすべく前記付加されたデータの削除を行うことを特徴とする請求項１記載の携帯電話機。
【請求項３】
前記データは画像データ及びメロディデータの少なくとも一方であることを特徴とする請求項１または２記載の携帯電話機。
【請求項４】
メッセージを送信可能な携帯電話機のメッセージ作成方法であって、
入力されたメッセージ本文から抽出されるキーワードを用いて前記携帯電話機内のデータの検索を行うステップと、前記検索されたデータを前記メッセージ本文に付加して前記メッセージを作成するステップとを含むことを特徴とするメッセージ作成方法。
【請求項５】
前記作成されたメッセージの容量が予め定められた送信可能なメッセージの最大容量を超えている場合に、前記作成されたメッセージの容量を前記最大容量以内とすべく前記付加されたデータの削除を行うステップを含むことを特徴とする請求項４記載のメッセージ作成方法。
【請求項６】
前記データは画像データ及びメロディデータの少なくとも一方であることを特徴とする請求項４または５記載のメッセージ作成方法。
【請求項７】
メッセージを送信可能な携帯電話機のメッセージ作成方法をコンピュータに実行させるためのプログラムであって、
入力されたメッセージ本文から抽出されるキーワードを用いて前記携帯電話機内のデータの検索を行うステップと、前記検索されたデータを前記メッセージ本文に付加して前記メッセージを作成するステップとを含むことを特徴とするプログラム。
【発明の詳細な説明】
【技術分野】
【０００１】
本発明は携帯電話機、そのメッセージ作成方法及びプログラムに関し、特にメッセージを送信可能な携帯電話機、そのメッセージ作成方法及びプログラムに関する。
【背景技術】
【０００２】
携帯電話機において、ユーザの使用頻度が高い機能はメッセージの送受信であり、メッセージ本文に画像データを付加したメッセージを送受信することもできる（例えば、特許文献１参照）。メッセージの作成においては、文字やコンテンツの入力方法をより簡単することと、個性的で楽しいメッセージを作成できることがユーザから求められている。
【０００３】
【特許文献１】特開２００１−３０６４６７号公報（第３〜４頁、第１〜３図）
【発明の開示】
【発明が解決しようとする課題】
【０００４】
しかしながら、従来、メッセージ作成時に画像を付加する際には、ユーザはメッセージに付加する画像データを選択入力する操作が必要であり、メッセージ作成において操作が複雑で手間がかかるものであった。
【０００５】
また、メッセージ送信時には、送信可能上限サイズ（最大容量）がサーバ毎に決められており、ユーザはメッセージの容量を気にしながらメッセージを作成しないと、メッセージ作成後に容量オーバーのため送信できないなどの問題もある。
【０００６】
本発明の目的は、容易に個性的なメッセージを作成することができる携帯電話機、そのメッセージ作成方法及びプログラムを提供することである。
【課題を解決するための手段】
【０００７】
本発明による携帯電話機は、メッセージを送信可能な携帯電話機であって、入力されたメッセージ本文から抽出されるキーワードを用いて前記携帯電話機内のデータの検索を行う検索手段と、前記検索手段により検索された前記データを前記メッセージ本文に付加して前記メッセージを作成するメッセージ作成手段とを含むことを特徴とする。
【０００８】
また、前記携帯電話機において、前記メッセージ作成手段は、前記作成されたメッセージの容量が予め定められた送信可能なメッセージの最大容量を超えている場合、前記作成されたメッセージの容量を前記最大容量以内とすべく前記付加されたデータの削除を行うことを特徴とする。
【０００９】
また、前記携帯電話機において、前記データは画像データ及びメロディデータの少なくとも一方であることを特徴とする。
【００１０】
本発明によるメッセージ作成方法は、メッセージを送信可能な携帯電話機のメッセージ作成方法であって、入力されたメッセージ本文から抽出されるキーワードを用いて前記携帯電話機内のデータの検索を行うステップと、前記検索されたデータを前記メッセージ本文に付加して前記メッセージを作成するステップとを含むことを特徴とする。
【００１１】
本発明によるプログラムは、メッセージを送信可能な携帯電話機のメッセージ作成方法をコンピュータに実行させるためのプログラムであって、入力されたメッセージ本文から抽出されるキーワードを用いて前記携帯電話機内のデータの検索を行うステップと、前記検索されたデータを前記メッセージ本文に付加して前記メッセージを作成するステップとを含むことを特徴とする。
【００１２】
メッセージを送信可能な携帯電話機において、メッセージ作成時にメッセージ本文内容に関連する画像やメロディデータをユーザが指定操作することなくメッセージに付加すべく、メッセージ本文から抽出されるキーワードを基に携帯電話機内の画像及びメロディデータを検索し、検索されたデータを付加するようにしている。
【発明の効果】
【００１３】
本発明によれば、メッセージを送信可能な携帯電話機において、入力されたメッセージ本文から抽出されるキーワードを用いて携帯電話機内のデータの検索を行い、検索されたデータをメッセージ本文に付加してメッセージを作成することによって、容易に個性的なメッセージを作成することができるという効果が得られる。
【発明を実施するための最良の形態】
【００１４】
以下、本発明の実施例について図面を参照して説明する。
【００１５】
図１は本発明の実施例によるシステム構成図である。本発明の実施例による通信システムは、画像及びメロディ付きメッセージの送受信が可能な携帯電話機２０１及び２０３と、作成されたメッセージをやりとりするためのメッセージサーバ２０２とを有する。
【００１６】
図２は図１に示す携帯電話機２０１の構成を示す図である。携帯電話機２０１は、各回路を制御する制御部３０１と、メッセージを作成するためのメーラ３０６と、作成したメッセージを送信するための無線通信部３０２と、予め携帯電話機内に用意された画像やメロディなどのプリセットデータを保存するプリセットデータ記憶部３０４と、ユーザにより撮影された写真や図示せぬ通信ネットワークを介してダウンロードされたデータを保存するＭｙｄａｔａ（マイデータ）記憶部３０３と、プリセットデータ記憶部３０４及びＭｙｄａｔａ記憶部３０３に保存された画像データをライブラリ化した画像ライブラリ３０７と、同じくプリセットデータ記憶部３０４及びＭｙｄａｔａ記憶部３０３に保存されたメロディデータをライブラリ化したメロディライブラリ３０８と、操作部３０５と、作成されたメッセージを表示する表示部３０９とを有する。なお、携帯電話機２０３の構成も携帯電話機２０１と同様である。
【００１７】
画像ライブラリ３０７及びメロディライブラリ３０８の例が図３に示されている。画像ライブラリ３０７とメロディライブラリ３０８は、Ｍｙｄａｔａ記憶部３０３及びプリセットデータ記憶部３０４内のデータから予め作成されているものとする。各ライブラリは、図３に示す例のようにＩＤ化され、各データ毎に、当該データを示すコード（画像コード、メロディコード）や当該データのタイトルやキーワード用のエリアを持つ。キーワードはユーザが決定することができ、各データに複数のキーワードを割り当てることができる。
【００１８】
メッセージ作成時には、制御部３０１はメッセージ作成用のメーラ３０６を起動しメッセージを作成する。制御部３０１は、操作部３０５を用いてユーザにより入力されたメッセージ本文から抽出されるキーワードと、画像ライブラリ３０７及びメロディライブラリ３０８中のキーワードが一致すると、一致したキーワードのメッセージ本文中における位置を記憶し、一致したキーワードが割り当てられた画像データ、メロディデータをメッセージ本文中の当該キーワードの近傍に埋め込む。このとき、メッセージを表示する表示部３０９には、メッセージ本文中にデータを埋め込んだことを示すマークが表示される。作成が完了したメッセージをプレビュー操作すると、表示部３０９には、メッセージ本文と自動的に埋め込まれた画像が表示され、同時に埋め込まれたメロディが図示せぬスピーカを介して出力される。
【００１９】
メッセージの作成が完了すると、制御部３０１は、作成されたメッセージの容量をチェックする。制御部３０１は、予め定められた送信可能なメッセージサイズの上限値（最大容量）を超えているか比較し、上限値を超えていたならば、メッセージ内の埋め込みデータを削除し、上限値内にメッセージサイズを合わせる処理を行う。なお、この上限値は、予めメッセージサーバ２０２から図示せぬ通信ネットワークを介して取得しているものとする。
【００２０】
次に、本発明の実施例による携帯電話機の動作について図面を参照して説明する。図４及び５は本発明の実施例による携帯電話機の動作を示すフローチャートであり、図６は図２の表示部３０９の表示画面例を示す図である。
【００２１】
携帯電話機２０１の制御部３０１は、メッセージを携帯電話機２０３に送信するために、メーラ３０６を立ち上げてメッセージの作成に入る（ステップＳ１）。メーラ３０６を立ち上げた状態における表示部３０９の表示画面例が図６の符号４０１にて示されている。ユーザは操作部３０５を用いて、メッセージの宛先を入力し、次にメッセージ本文をテキストで入力し文章を入力する（ステップＳ２）。ユーザによるメッセージ本文の入力が完了した状態における表示部３０９の表示画面例が図６の符号４０２にて示されている。
【００２２】
次に、制御部３０１は、メッセージ本文からキーワードを抽出し、このキーワードを用いて検索を行う（ステップＳ３）。なお、制御部３０１は、ユーザによるメッセージ本文の入力が完了すると、ステップＳ３のキーワード検索を行う。例えば、作成されたメッセージ本文が「Ｈａｐｐｙ  Ｂｉｒｔｈｄａｙ！！！」である場合、制御部３０１は、メッセージ本文から「Ｈａｐｐｙ」、「Ｂｉｒｔｈｄａｙ」、「Ｈａｐｐｙ  Ｂｉｒｔｈｄａｙ」をそれぞれキーワードとして抽出し、これと一致するキーワードがあるか、画像ライブラリ３０７及びメロディライブラリ３０８中のキーワードをサーチする（ステップＳ３）。
【００２３】
ライブラリ上に一致するキーワードが見つかれば（ステップＳ４）、対応する画像及びメロディデータが埋め込まれる（ステップＳ５）。この状態における表示部３０９の表示画面例が図６の符号４０３にて示されている。このように、埋め込んだ位置には、テキストの横にメロディデータなら「♪マーク」を表示し、画像データならば「Ｐマーク」を表示させる。これにより、この位置に画像またはメロディデータが埋め込まれたことを知ることができる。ライブラリ３０７及び３０８内に一致するキーワードがない場合には、データの埋め込みは行われない。
【００２４】
このようにして作成されるメッセージをメーラ３０６でプレビューして付加された画像およびメロディを確認することができる。この状態における表示部３０９の表示画面例が図６の符号４０４にて示されている。このように、表示部３０９には、メッセージ本文と自動的に埋め込まれた画像が表示され、同時に埋め込まれたメロディが図示せぬスピーカを介して出力される。
【００２５】
メッセージの作成が完了すると（ステップＳ６）、制御部３０１は作成されたメッセージのデータ容量を計算する（ステップＳ７）。そして、制御部３０１は、作成されたメッセージのデータ容量を予め定められた送信可能なメッセージサイズの上限値（最大容量）と比較する（ステップＳ８）。作成されたメッセージのデータ容量が上限値を超えていなければ、当該メッセージを送信するために保存する（ステップＳ９）。そして、ユーザからの送信指示があれば、制御部３０１は無線通信部３０２からメッセージサーバ２０２を介してメッセージを携帯電話機２０３に送信する（ステップＳ１０）。
【００２６】
一方、作成されたメッセージのデータ容量が上限値を超えていたら（ステップＳ８）、携帯電話機２０１内にて予め決めていた削除ルールに従い、上限値内にメッセージサイズを合わせるべくメッセージ内に自動的に埋め込まれたデータの削除を開始する（ステップＳ１１）。まずは、自動的に埋め込まれたデータの中で、最も容量が大きいものを削除する（ステップＳ１２）。データ削除後のメッセージサイズを確認し、上限値を超えていなければ（ステップＳ１３）、ステップＳ９に進む。
【００２７】
一方、容量が大きいデータを削除してもまだメッセージサイズが上限値を超えている場合は（ステップＳ１３）、予め決めていた削除ルールに従い、例えば画像データを優先するならばメロディデータを削除する（ステップＳ１４）。これにより、メッセージサイズが上限値内に収まれば（ステップＳ１５）、ステップＳ９に進み、まだ上限値を超えていれば（ステップＳ１５）、削除ルールに従ってさらにデータの削除を行う（ステップＳ１４）。
【００２８】
自動削除が完了し、上限値内に収まったメッセージをメーラ３０６でプレビューして付加された画像およびメロディを確認することができる。この状態における表示部３０９の表示画面例が図６の符号４０５にて示されている。
【００２９】
ステップＳ１０にて送信されたメッセージを受信した携帯電話機２０３において、メッセージを開いたときの携帯電話機２０３の表示部３０９の表示画面例が図６の符号４０６にて示されている。受信メッセージは、入力された「Ｈａｐｐｙ  Ｂｉｒｔｈｄａｙ！！！」と「おめでとう」という文字と埋め込まれたケーキの画像が表示され、同時に埋め込まれたメロディも鳴り出すメッセージとして開くことができる。
【００３０】
なお、図４及び５に示した各フローチャートに従った処理動作は、予めＲＯＭ等の記憶媒体に格納されたプログラムを、ＣＰＵ（制御部）となるコンピュータに読み取らせて実行せしめることにより、実現できることは勿論である。
【００３１】
以上説明したように、本発明の実施例によれば、ユーザにより入力されたメッセージ本文から抽出されるキーワードを用いて携帯電話機内の画像データ及びメロディデータの検索を行い、検索されたデータをメッセージ本文に付加するようにしているので、容易に画像及びメロディ付きの個性的なメッセージを作成することができる。
【００３２】
また、作成されたメッセージのデータ容量が予め定められた送信可能なメッセージの最大容量を超えている場合には、付加されたデータの削除を行うようにしているので、ユーザはメッセージ作成時にメッセージサイズを考慮することなく容易に個性的なメッセージを作成することができる。
【００３３】
本発明の実施例では、作成されたメッセージのデータ容量が予め定められた送信可能なメッセージの最大容量を超えている場合には、付加されたデータを自動的に削除するようにしているが、自動的に削除するのではなく、ユーザが削除するデータを決めて削除処理を行なうことにより、容量を減らすことも可能である。例えば、図６の表示画面４０３上で、ユーザが操作部３０５を用いてテキスト内の埋め込みありマークにカーソルをあわせることにより埋め込まれたデータのタイトルを表示して、ユーザに削除するか否か選択させる。または、図６の表示画面４０４上で、ユーザに削除するデータを選択させるようにしてもよい。これにより、データ容量を減らすことができる。
【００３４】
また、本発明の実施例では、キーワード検索により検索されたデータ全てをメッセージ本文に付加するようにしているが、ユーザにより選択されたデータのみを付加するようにしてもよい。すなわち、キーワード検索によりライブラリ上に一致するキーワードが見つかった場合（ステップＳ４）、対応する画像及びメロディデータのリストを表示部３０９に表示して、ユーザに付加するデータを選択させるようにしてもよい。
【００３５】
また、本発明の実施例では、メッセージ作成後に（ステップＳ６）、メッセージのデータ容量のチェックを行うようにしているが（ステップＳ７）、ステップＳ５におけるデータ埋め込みの際に容量チェックを行ない、残容量を監視しながら、埋め込む画像及びメロディデータを決めることも可能である。
【００３６】
また、本発明の実施例では、作成されたメッセージのデータ容量を上限値内におさえるために、埋め込まれたデータを削除するようにしているが、埋め込まれたデータを圧縮することにより作成されたメッセージのデータ容量を上限値内におさえるようにしてもよい。この場合、メッセージを受信する側では、メーラにてメッセージを開くと、埋め込まれた画像及びメロディデータが解凍されて表示、出力される。
【図面の簡単な説明】
【００３７】
【図１】本発明の実施例によるシステム構成図である。
【図２】図１の携帯電話機の構成を示す図である。
【図３】図２の画像ライブラリ及びメロディライブラリの例を示す図である。
【図４】本発明の実施例による携帯電話機の動作を示すフローチャートである。
【図５】本発明の実施例による携帯電話機の動作を示すフローチャートである。
【図６】図２の表示部の表示画面例を示す図である。
【符号の説明】
【００３８】
２０１，２０３    携帯電話機
２０２    メッセージサーバ
３０１    制御部
３０２    無線通信部
３０３    Ｍｙｄａｔａ記憶部
３０４    プリセットデータ記憶部
３０５    操作部
３０６    メーラ
３０７    画像ライブラリ
３０８    メロディライブラリ
３０９    表示部
【図１】
2005285038.tif 000003
【図２】
2005285038.tif 000004
【図３】
2005285038.tif 000005
【図４】
2005285038.tif 000006
【図５】
2005285038.tif 000007
【図６】
2005285038.tif 000008